(57)【要約】【課題】  大量のパチンコ玉を収納できる玉箱の外鍔縦溝に差し込んだ札板が妄りに動いたり、傾かないようにすること。【解決手段】  大量のパチンコ玉を収納できる玉箱１の外鍔２に場内宣伝用札板３を上から差し込める縦溝４を形成した玉箱１を作るに当たり、分厚く作った外鍔２に縦溝４を形成し、この溝の対向内面４０に互いに齟齬して突出する縦リブ５を突設すると共に、これら各リブ上部に形成した案内斜面６を経て各リブ５の突面７間に可撓性の札板３を撓み復元力に抗し撓ませて差し込むことで、この撓み復元力により札板３の表裏両面を前記各リブ５の突面７に弾接させ、札板３を前記玉箱１の外鍔縦溝４に立設固定可能とした。【選択図】  図１
0003132430.tif 000002
【実用新案登録請求の範囲】
【請求項１】
大量のパチンコ玉を収納できる玉箱の外鍔に場内宣伝用札板を上から差し込める縦溝を形成した玉箱において、分厚く作った外鍔に縦溝を形成し、この溝の対向内面に互いに齟齬して突出する縦リブを突設すると共に、これら各リブ上部に形成した案内斜面を経て各リブの突面間に可撓性の札板を撓み復元力に抗し撓ませて差し込むことで、この撓み復元力により札板の表裏両面を前記各リブの突面に弾接させ、この札板を前記玉箱外鍔の縦溝に立設固定可能としたパチンコ玉収納用玉箱。
【請求項２】
大量のパチンコ玉を収納できる玉箱の外鍔に場内宣伝用札板を上から差し込める縦溝を形成した玉箱において、分厚く作った外鍔に縦溝を形成し、その一方の内面に突設した複数の縦リブと、これらリブの中央部における他方の溝内面に突設した縦リブとの間に、これら各リブ上部に形成した案内斜面を経て可撓性の札板を撓み復元力に抗し撓ませて差し込むことで、この撓み復元力により札板の表裏両面を前記各リブの突面に弾接させ、この札板を前記玉箱外鍔の縦溝に立設固定可能としたパチンコ玉収納用玉箱。
【請求項３】
前記縦リブの下端部における縦溝の下端を溝幅方向に橋絡部で橋絡してなる請求項１または請求項２に記載のパチンコ玉収納用玉箱。
【考案の詳細な説明】
【技術分野】
【０００１】
本考案は、大量のパチンコ玉を収納できる玉箱に係り、特に大量出玉をアピールしたり、場内宣伝事項を表示した札板を玉箱外鍔に差し込むための溝構造の改良に関する。
【背景技術】
【０００２】
大量のパチンコ玉を収納できる玉箱としては、下記の非特許文献１に記載のような玉箱の外鍔に大量出玉の出現状態をアピール表示したり、場内宣伝事項を表示した札板を上から緩く差し込める短寸の溝を形成した玉箱が周知である。
【非特許文献１】大阪府東大阪市箱殿町６番１４号所在の株式会社レジン・エンジニアリング社が、平成１９年１月末日までに国内パチンコ遊戯業界に広く頒布したカタログ小冊子（Ｒｅｓｉｎ's  Ｓｐｉｒｉｔ  Ｃａｔａｌｏｇ）第３ページ〜第６ページ記載のパチンコ玉収納用玉箱の写真と、その説明文。
【考案の開示】
【考案が解決しようとする課題】
【０００３】
前記従来例は、多数のパチンコ遊戯台の中から例えば大量出玉の出現状態（所謂フィーバー状態や大当たり状態）になった遊戯台下の床面に置いたの大量のパチンコ玉を収納できる前記玉箱に上記大量出玉の状況を店内客にアピール表示したり、その他場内宣伝事項を表示した札板の幅狭い差し込み部を上記玉箱の短寸溝内に場内店員が上から緩く差し込み、この札板で場内宣伝ができるようにしたパチンコ玉収納用玉箱である。
【０００４】
この従来例では、玉箱の溝と札板の差し込み部の長さが共に短寸で、上部（頭）が大きい札板を頭の付け根まで上記溝に緩く差し込んだものだから、札板の立設状態が著しく不安定でフラフラ動き易く、景品交換時などの玉箱移動時に大量出玉で大重量となった玉箱を遊戯者が持ち上げる際に、札板が大きく傾いて玉箱から脱落する場合もあって危険でもあり、落ちた札板を拾い上げようとして玉箱内の出玉を床にバラ撒くことも有り、その拾い上げが極めて面倒かつ、厄介であるという根源的で切実な問題点が有る。
【０００５】
また、この従来例では、多数の人達が注目する所謂「大当たり」後の「大漁出玉」表示したり、その他場内宣伝事項を表示した肝心の札板が少しの外力で傾き易く見栄えが悪くなるので、折角場内店員が整然と保った遊戯場内美観を損なう結果となり、この見栄えの悪い状態は、パチンコ遊戯に熱中している当人は気付かず、札板を傾けたまま放置している場合が多いので、場内環境を整備するため店員が巡回して逐一、直立に復しているという根源的で切実な問題点が有る。
【０００６】
特に上記従来例では、「大当たり」後のパチンコ遊戯台の球打ち操作を遊戯者が一方の手指で継続しながら、遊戯面直下のパチンコ玉収納箱内の出玉をさらに遊戯台下の床面に置いた大量のパチンコ玉を収納できる大型の玉箱に移す際に、その外鍔溝内に差し込み済の札板に手指が軽く触れただけで、この札板が傾いて倒れそうになる結果、遊戯者の気が散ってしまい、折角の勝機を失するという根源的で切実な問題点が有るし、溝内に差し込み済の上記傾いた札板が有る遊戯台下の玉箱は、隣接台遊戯者の足回りの邪魔になるという切実な問題点も有る。
【０００７】
この考案は、大量のパチンコ玉を収納できる玉箱の外鍔縦溝に差し込んだ札板が妄りに動いたり、傾かないようにすることを目的とする。
【課題を解決するための手段】
【０００８】
上記した本考案の目的は、大量のパチンコ玉を収納できる玉箱の外鍔に場内宣伝用札板を上から差し込める縦溝を形成した玉箱を作るに当たり、分厚く作った外鍔に縦溝を形成し、この溝の対向内面に互いに齟齬して突出する縦リブを突設すると共に、これら各リブ上部に形成した案内斜面を経て各リブの突面間に可撓性の札板を撓み復元力に抗し撓ませて差し込むことで、この撓み復元力により札板の表裏両面を前記各リブの突面に弾接させ、この札板を前記玉箱外鍔の縦溝に立設固定可能としたことで達成できた。
【０００９】
本考案における請求項１に記載の考案によれば、前記縦溝の対向内面に互いに齟齬させて突設した縦リブの上部案内斜面を経て札板を各リブの突面間に差し込んで下動させるだけの著しく簡単な操作で、札板を撓み復元力に抗して撓ませ曲げて上記縦リブの各突面間に直立状態で差し込めるので、この札板の表裏両面を札板の撓み復元力により、各縦リブの突面に弾接させて札板を前記外鍔溝内に直立不動に立設できる。
【００１０】
したがって、上記本考案によれば多数の人達が注目する所謂「大当たり」後の「大漁出玉」表示したり、その他場内宣伝事項を表示した札板は、妄りに動かないので、パチンコ遊戯面直下に置いた小型のパチンコ玉収納箱内に溜まった出玉を、遊戯台下の床面に置いた大量のパチンコ玉を収納できる大型の玉箱に急いで移す際などに、手指が上記溝内に差し込み済の札板に軽く触れてもこの札板は傾かず、遊戯者の気が散らないので、折角の勝機を最大限生かせるし、札板を常に見栄えのよい直立状態に保持でき、札板を直立に直すための店員巡回も不要であるという優れた効果が有る。
【００１１】
また、本考案における請求項１に記載の考案によれば、大重量となった玉箱の移動時に遊戯者が玉箱を持ち上げる際にも、札板は安定不動で傾かず、玉箱溝内から脱落しないので、前記従来例のような札板の拾い上げによる玉箱内出玉の床面バラ撒き事故を阻止できるし、溝内に差し込み済の札板は、前記のように妄りに傾かないので、複数の玉箱を隣接遊戯者に迷惑を掛けずにパチンコ遊戯台の下部に並列載置できるし、札板はパチンコ玉収納箱に対して弾力支持状態にあるため、安全性が高いという優れた効果も有る。
【００１２】
本考案における請求項２に記載の考案によれば、前記外鍔の縦溝の一方の内面に突設した複数の縦リブと、これらリブの中央部における他方の溝内面に突設した縦リブとの間に、これら各リブ上部に形成した案内斜面を経て可撓性の札板を撓み復元力に抗し撓ませて差し込む際に、札板の表裏両面を対称的に撓ませて差し込めるので、札板をより一層安定に前記玉箱外鍔の縦溝に不動立設できるという効果を付加できた。
【００１３】
本考案における請求項３の考案では、前記縦リブの下端部における縦溝の下端を溝幅方向に橋絡部で橋絡したので、無造作に札板を玉箱溝に差し込んでも、札板下辺が上記溝下端の橋絡部に当接して札板の差し込み深さを自動的に規制でき、札板を玉箱に対して常に直立不動に立設できるし、溝内に差し込み済の札板の溝外食み出しを阻止できるという効果を付加できた。
【考案を実施するための最良の形態】
【００１４】
本考案の実施形態例は、ポリカーボネートなどの熱可塑性プラスチック成形素材で、射出成形して作った図１・図２のような大量のパチンコ玉を収納できる玉箱１の長手両側（または片側）に外鍔２を上記各図のように一体突設すると共に、大量出玉の状況を店内客にアピール表示したり、その他場内宣伝事項を表示した札板３を図１のように上から差し込める縦溝４を前記外鍔２に形成するに当たり、外鍔２を上記図１および図３のように分厚く成形してこの外鍔２に上記縦溝４を図１・図３のように形成すると共に、この縦溝４の対向内面４０にそれぞれ図１・図２のような互いに齟齬した縦リブ５を突設する。
【００１５】
そして、上記各縦リブ５の上部には、図４・図５のように札板３を差し込み易くするための案内斜面６を形成すると共に、この案内斜面６を経て前記各図のように互いに齟齬した各縦リブ５の突面７・７間に上方から可撓性プラスチック製の札板３を差し込み始め、この札板３を更に上記突面７・７間に押し込むことで、札板３を図６のようにその撓み復元力に抗し自動的に撓み曲げつつ、各リブ５の突面７・７間に同図６のように差し込めると共に、この差し込み状態の札板３の上記撓み復元力はそのまま蓄積する。
【００１６】
したがって、札板３の上記差し込み状態では、札板３の蓄積撓み復元力により、札板３の表裏両面が前記各リブ５の突面７に図６のように弾接しているから、札板３をその撓み復元力により上記突面７で図１・図６のように安定に支持でき、この札板３を前記玉箱外鍔２の縦溝４に不動に直立固定できる本考案のパチンコ玉収納用玉箱１を構成できた。
【００１７】
本考案による大量のパチンコ玉を収納できる玉箱１は、以上のような構成であり、これを使用するに当っては、多数のパチンコ遊戯台（周知の遊戯台でよいから図示せず）の中から、例えば大量出玉の出現状態（所謂フィーバー状態や大当たり状態）になった遊戯台下の床面に上記玉箱１を置くに当たり、上記玉箱演出用やその他場内宣伝用札板を上記玉箱１の外鍔２の縦溝４内に場内店員が札板３をその撓み復元力に抗して上から差し込むことで、前記図１・図６のように札板３を上記突面７・７で安定に直立支持でき、この札板３を前記玉箱１の外鍔縦溝４に簡単に直立不動状態で立設できるから、大量出玉の出現状態のアピールとか、その他の場内宣伝を常に見栄え良く実行できる。
【００１８】
すなわち、前記各縦リブ５の突面７・７間に間に差し込んだ札板の表裏両面を前記縦リブで図１・図６のように弾力的にシッカリと直立支持できるから、大量のパチンコ玉を収納した玉箱１に対する札板３を常に見栄えのよい直立状態に保持でき、複数の上記玉箱１を隣接台の遊戯者に迷惑を掛けずに遊戯台下の床面に並列載置できるし、所謂「大当たり」の時にパチンコ遊戯台の球打ち操作を一方の手指で継続しながら、遊戯面直下に置いた小型の玉箱内の出玉を前記遊戯台下の床面に並列載置した大量の出玉を入れる玉箱１に連続して移行する際に、手指などが札板に触れた場合とか、大量の出玉で大重量になった上記玉箱１を図１のような両側の指掛け部１Ａを利用して持ち上げても、玉箱１に差し込んだ札板３は妄りに動いたり傾かないので、安全である。
【００１９】
ただし、前記縦リブ５の下端部における縦溝４の下端を溝幅方向に橋絡部４Ａで図２・図４のように橋絡することで、札板３を無造作に玉箱溝４に差込んでも、札板３の下辺が上記溝下端の橋絡部４Ａに当接して札板３の差込み深さを自動的に規制でき、札板３を玉箱１に対して常に所定の深さで直立不動に立設できるし、溝４内に差し込み済の札板３の溝外食み出しを阻止できる。
【産業上の利用可能性】
【００２０】
本考案における前記札板３は、「今週の店内イベントのお知らせ」表示や、「今週のお勧め台」表示などの場内宣伝表示により店の意向やポリシーを店内客に周知させ得る。
【図面の簡単な説明】
【００２１】
【図１】本考案の実施形態例を示す玉箱の斜視図
【図２】図１に示すものの拡大平面図
【図３】図２におけるＡ線で切断した要部拡大縦断側面図
【図４】図２におけるＢ線で切断した要部拡大縦断側面図
【図５】図２におけるＣ線で切断した要部拡大縦断側面図
【図６】図１に示すものの要部拡大平面図
【符号の説明】
【００２２】
１……大量のパチンコ玉を収納できる玉箱
２……外鍔
３……札板
４……縦溝
４０…縦溝の対向内面
４Ａ…縦溝橋絡部
５……縦リブ
６……差し込み案内斜面
７……縦リブの突面
【図１】
0003132430.tif 000003
【図２】
0003132430.tif 000004
【図３】
0003132430.tif 000005
【図４】
0003132430.tif 000006
【図５】
0003132430.tif 000007
【図６】
0003132430.tif 000008